(57)【要約】      （修正有）【課題】ユーザがバックミラーの方向を手で直接調整して運搬車の後方の状況を確認することができる上、無線または有線のコントローラを介し、バックミラー上の方向指示灯を作動させることができる前輪が単車輪である運搬車のバックミラーセットを提供する。【解決手段】運搬車とバックミラー３とにそれぞれ接続される２つの挟持部２と、少なくとも一方の側面に方向指示灯が配置され、一方の端部が挟持部２に接続されるバックミラー３と、両端が挟持部にそれぞれ接続される可撓性管４と、方向指示灯の点滅を制御するのに使用され、運搬車上に配置されるコントローラとを含むことを特徴とする。挟持部は、一方の端部に設けられた切欠部と、切欠部上の固定孔中に配置された固定部材とを含む。【選択図】図２
0003152168.tif 000002
【実用新案登録請求の範囲】
【請求項１】
運搬車とバックミラーとにそれぞれ接続される２つの挟持部と、
少なくとも一方の側面に方向指示灯が配置され、一方の端部が前記挟持部に接続されるバックミラーと、
両端が前記挟持部にそれぞれ接続される可撓性管と、
前記方向指示灯の点滅を制御するのに使用され、前記運搬車上に配置されるコントローラと、を含むことを特徴とする前輪が単車輪である運搬車のバックミラーセット。
【請求項２】
前記挟持部は、一方の端部に設けられた切欠部と、前記切欠部上の固定孔中に配置された固定部材と、を含むことを特徴とする請求項１記載の前輪が単車輪である運搬車のバックミラーセット。
【請求項３】
前記切欠部の少なくとも１つの内壁は、球面であることを特徴とする請求項２記載の前輪が単車輪である運搬車のバックミラーセット。
【請求項４】
前記切欠部は、固定柱を含むことを特徴とする請求項２記載の前輪が単車輪である運搬車のバックミラーセット。
【請求項５】
前記切欠部の少なくとも１つの内壁は、ねじ溝を含むことを特徴とする請求項２記載の前輪が単車輪である運搬車のバックミラーセット。
【請求項６】
前記可撓性管の内部の両端部位は、調整部材を含み、前記調整部材間は、弾性部材を介して接続されることを特徴とする請求項１記載の前輪が単車輪である運搬車のバックミラーセット。
【請求項７】
前記コントローラ内は、電池セット、切換スイッチ、点灯制御装置および無線信号発信器を含み、前記バックミラー内は、電池セット、点灯制御回路および前記無線信号発信器から発信された信号を受信する無線信号受信器を含むことを特徴とする請求項１記載の前輪が単車輪である運搬車のバックミラーセット。
【考案の詳細な説明】
【技術分野】
【０００１】
本考案は、車両の付属設備に関し、特に、前輪が単車輪である運搬車のバックミラーセットに関する。
【背景技術】
【０００２】
単一の前輪を有する運搬車は、オートバイ、自転車、三輪車などを含む。従来の自転車のバックミラーは、ハンドル上に固定され、１箇所が可動（例えば、特許文献１および特許文献２参照）したり、２箇所が可動し、平面的に湾曲（例えば、特許文献３および特許文献４参照）したりするものがある。
【０００３】
また、従来の自動車およびオートバイのバックミラーには、すでに、音響光学効果を有するものがある（例えば、特許文献４参照）。
【０００４】
また、従来技術において、自転車のバックミラーに応用可能な無線制御のランプが存在する（例えば、特許文献６参照）。
【０００５】
また、従来技術において、自転車に応用可能な無線制御のランプが存在する（例えば、特許文献７参照）。
【０００６】
上述の従来技術を応用することにより、バックミラーの角度を調整でき、バックミラー上のランプを無線制御して点滅させることができるバックミラーを提供することができる。
【先行技術文献】
【特許文献】
【０００７】
【特許文献１】台湾特許第３９０３００号公報
【０００８】
【特許文献２】台湾特許第Ｍ５４５６２６号公報
【０００９】
【特許文献３】台湾特許第Ｍ２５４４０２号公報
【００１０】
【特許文献４】台湾特許第Ｍ２８９７２８号公報
【００１１】
【特許文献５】台湾特許第Ｍ２４８７０２号公報
【００１２】
【特許文献６】台湾特許第Ｍ３４５７６３号公報
【００１３】
【特許文献７】台湾特許第Ｍ３０９７２５号公報
【考案の概要】
【考案が解決しようとする課題】
【００１４】
本考案の目的は、ユーザがバックミラーの方向を手で直接調整して運搬車の後方の状況を確認することができる上、無線または有線のコントローラを介し、バックミラー上の方向指示灯を作動させることができる前輪が単車輪である運搬車のバックミラーセットを提供することにある。
【課題を解決するための手段】
【００１５】
上述の目的を解決するために、請求項１の考案は、  運搬車とバックミラーとにそれぞれ接続される２つの挟持部と、少なくとも一方の側面に方向指示灯が配置され、一方の端部が挟持部に接続されるバックミラーと、両端が挟持部にそれぞれ接続される可撓性管と、方向指示灯の点滅を制御するのに使用され、運搬車上に配置されるコントローラと、を含むことを特徴とする前輪が単車輪である運搬車のバックミラーセットである。
【００１６】
請求項２の考案は、挟持部は、一方の端部に設けられた切欠部と、切欠部上の固定孔中に配置された固定部材と、を含むことを特徴とする請求項１記載の前輪が単車輪である運搬車のバックミラーセットである。
【００１７】
請求項３の考案は、切欠部の少なくとも１つの内壁は、球面であることを特徴とする請求項２記載の前輪が単車輪である運搬車のバックミラーセットである。
【００１８】
請求項４の考案は、切欠部は、固定柱を含むことを特徴とする請求項２記載の前輪が単車輪である運搬車のバックミラーセットである。
【００１９】
請求項５の考案は、切欠部の少なくとも１つの内壁は、ねじ溝を含むことを特徴とする請求項２記載の前輪が単車輪である運搬車のバックミラーセットである。
【００２０】
請求項６の考案は、可撓性管の内部の両端部位は、調整部材を含み、調整部材間は、弾性部材を介して接続されることを特徴とする請求項１記載の前輪が単車輪である運搬車のバックミラーセットである。
【００２１】
請求項７の考案は、コントローラ内は、電池セット、切換スイッチ、点灯制御装置および無線信号発信器を含み、バックミラー内は、電池セット、点灯制御回路および無線信号発信器から発信された信号を受信する無線信号受信器を含むことを特徴とする請求項１記載の前輪が単車輪である運搬車のバックミラーセットである。
【考案の効果】
【００２２】
ユーザは、バックミラーの方向を手で簡単に調整して運搬車後方の状況を確認することができた上、コントローラを介し、バックミラー上の方向指示灯の点滅を簡単に制御できた。
【図面の簡単な説明】
【００２３】
【図１】本考案を示す斜視図である。
【図２】本考案を示す分解斜視図である。
【図３】本考案を示す一部断面図である。
【図４】本考案の挟持部の他の構造を示す一部断面図である。
【図５】本考案の可撓性管の他の構造を示す断面図である。
【図６】本考案の使用状態を示す斜視図である。
【図７】本考案の方向指示灯の無線制御の構造を示すブロック図である。
【図８】本考案の他の使用状態を示す斜視図である。
【図９】図８と同様の使用状態を他の角度から見た状態を示す斜視図である。
【考案を実施するための形態】
【００２４】
本考案の目的、特徴および効果を示す実施形態を図面に沿って詳細に説明する。
【００２５】
図１〜図３を同時に参照する。図１〜図３に示すように、本考案の一実施形態による前輪が単車輪である運搬車のバックミラーセット１は、２つの挟持部２、バックミラー３、可撓性管４およびコントローラ５（図６を参照）を含む。挟持部２の一方の端部には、切欠部２１が設けられる。切欠部２１は、固定させたい物体（例えば、運搬車のフロントホーク両側、運搬車のハンドル両側、運搬車のバックホーク両側など）上に跨設することができる。また、挟持部２の切欠部２１上に垂直に設けられた固定孔２２に設けられた固定部材２３により、固定させたい物体に確実に挟持固定することができる。切欠部２１内の少なくとも１つの内壁には、支持溝２４（本実施形態では、球面である）が設けられ、バックミラー２の一方の端部の接続部３１が支持溝２４内に配置されて接続される。切欠部２１内の少なくとも１つの内壁には、ねじ溝２５を設けることができ、異なる形状の接続部（３１Ａ）をねじ溝２５内に配置して接続することができる（図４を参照）。挟持部２の他方の一端には、可撓性管４が螺合固定または溶接固定される。バックミラー３は、接続部３１を含み、バックミラー３の内部は、コントローラ５によって制御される方向指示灯（図示せず）を含む。バックミラー３の少なくとも一方の側面は、方向指示灯の光線が放出される方向指示灯カバー３２を含む。バックミラー３内には、方向指示灯に電力を供給する電源および点滅回路が配置される（図示せず）。可撓性管４は、金属ホース（例えば、ニチノール、アルミニウム、銅、錫など）または非金属管（例えば、ポリエーテルイミド（ＰＥＩ）、血管を拡開する移植物、導管、縫合糸など、２種類の高分子を混合した後に形成されるポリマー）からなり、さらに、金属ホースの外部に被覆される樹脂を含み、角度を随意に調整することができる機能を有する。コントローラ５は、切換スイッチ５１を含み、方向指示灯の点滅を制御する。ユーザは、切換スイッチ５１を操作することにより、バックミラー３内の方向指示灯の作動を制御することができる。本考案の一実施形態による前輪が単車輪である運搬車のバックミラーセット１は、上述の構造により構成され、前輪が単車輪である運搬車が転倒した場合でも、バックミラー３の鏡は保護されるため、破損しにくい。また、バックミラー３の角度を調整できるため、便利である。
【００２６】
図４を参照する。図４に示す構造は、挟持部２の一方の端部に切欠部２１を含まず、固定柱２６（固定ボルトを含む）を含む点が図３に示す構造と異なる。固定柱２６により、前輪が単車輪である運搬車のバックミラーセット１を多種のオートバイ上のバックミラー設置部上（図示せず）に接合することができる。
【００２７】
図５を参照する。図５に示す構造は、可撓性管４の内部の両端に近い部分に、調整部材４１を含む点が図３に示す構造と異なる。調整部材４１間は、弾性部材４２を介して接続され、可撓性管４上の開溝４３により、ユーザは、調整部材４１を回動して弾性部材４２の弾性を簡単に調整することができ、可撓性管４は、好適な硬度を有することができる。
【００２８】
図６を参照する。図６は、本考案の一実施形態による前輪が単車輪である運搬車のバックミラーセットの使用状態を示す斜視図である。図６に示すように、前輪が単車輪である運搬車のバックミラーセット１は、自転車６上に配置される。可撓性管４の下方の挟持部２が自転車６のフロントホーク６１の両側に固定される。ユーザは、可撓性管４を手で必要な角度に簡単に調整でき、バックミラー３内の鏡を介し、後方の状況を確認することができる。また、コントローラ５上の切換スイッチ５１により、方向指示灯を制御し、方向指示灯を点灯させ、前方、側方および後方の車両の運転者および歩行者に、自転車の進路変更の意思を示すことができる。
【００２９】
上述の前輪が単車輪である運搬車のバックミラーセット１は、ハンドル６２の両側、フロントホーク６１の両側、バックホーク（図示せず）の両側およびヘルメットの後方両側に接合することができ、コントローラ５の切換スイッチ５１を介して統一制御することができる。ユーザが進路を変更したいとき、バックミラー３の方向指示灯を点灯させ、他の車両の運転者に進路変更の意思を示すことができるため、ユーザの安全性が保障される。即ち、前方、側方および後方の車両の運転者および歩行者は、自転車６のバックミラー３の方向指示灯の点灯を確認することができるため、ユーザの安全が確保される。
【００３０】
また、運搬車の両側に配置された前輪が単車輪である運搬車のバックミラーセット１は、無線方式による制御（図７を参照）を行うことができる。即ち、コントローラ５内は、電池セット５２、切換スイッチ５１、点灯制御装置５３および無線信号発信器５４を含む。また、バックミラー３内は、電池セット３３、点灯制御回路３４および無線信号受信器３５を含む。まず、コントローラ５の切換スイッチ５１により、右折または左折の信号が点灯制御回路５３に伝送される。次に、無線信号発信器５４を介し、信号が無線信号受信器３５に伝送され、無線信号受信器３５が無線信号発信器５４からのコントロール信号を受信する。次に、点灯制御回路３４が信号を処理した後、各バックミラー３内の方向指示灯を作動させる。上述の技術は、すべて従来の技術であるため、これ以上の説明は行わない。
【００３１】
図８および図９を同時に参照する。本考案の一実施形態による前輪が単車輪である運搬車のバックミラーセット１は、自転車６のハンドル６２の左右両側に配置することができる。それにより、ユーザは、バックミラー３を介し、後方の状況を確認することができる。また、前方、側方および後方の車両の運転者および歩行者は、自転車６のバックミラー３の方向指示灯の点灯を確認することができるため、ユーザの安全が確保される。
【符号の説明】
【００３２】
１  前輪が単車輪である運搬車のバックミラーセット
２  挟持部
２１  切欠部
２２  固定孔
２３  固定部材
２４  支持溝
２５  ねじ溝
２６  固定柱
３  バックミラー
３１  接続部
３１Ａ  接続部
３２  方向指示灯カバー
３３  電池セット
３４  点灯制御回路
３５  無線信号受信器
４  可撓性管
４１  調整部材
４２  弾性部材
４３  開溝
５  コントローラ
５１  切換スイッチ
５２  電池セット
５３  点灯制御装置
５４  無線信号発信器
６  自転車
６１  フロントホーク
６２  ハンドル
【図１】
0003152168.tif 000003
【図２】
0003152168.tif 000004
【図３】
0003152168.tif 000005
【図４】
0003152168.tif 000006
【図５】
0003152168.tif 000007
【図６】
0003152168.tif 000008
【図７】
0003152168.tif 000009
【図８】
0003152168.tif 000010
【図９】
0003152168.tif 000011